(57)【要約】      （修正有）【課題】極めて簡易に且つ水素ガスが十分溶解・溶存した水素水を含浸させることができる水素水含浸物収納体及び水素水含浸物収納体セットを提供する。【解決手段】袋状に成形された袋体２の内部を、仕切り用シール部２ｂにより一方及び他方の収容室２ｃ，２ｄに仕切り、上記一方の収容室２ｃには水素発生剤３と含浸物４を収容し、他方の収容室２ｄには、水素発生用水５を収納し、上記仕切り用シール部２ｂは、他方の収容室２ｄに加えられる外圧により剥離し、一方の収容室２ｃと他方の収容室２ｄとが開通するよう構成されてなる。上記構成からなる水素水含浸物収納体１とこの水素水含浸物収納体１が収容される容器とから、水素水含浸物収納体セットを構成する。【選択図】図２
2016043110.tif 000002
【特許請求の範囲】
【請求項１】
熱可塑性樹脂製フィルムにより袋状に成形された袋体と、
この袋体の内部に形成され水素発生用水と反応することにより水素ガスを発生する水素発生剤が収容された一方の収容室と、
上記袋体の内部に形成され上記水素発生剤と反応して該水素発生剤から水素ガスを発生させる水素発生用水が収容されてなる他方の収容室と、を備え、
上記一方の収容室と他方の収容室とは、上記袋体の対向面が加圧溶着されてなるとともに、上記他方の収容室に加えられる外圧により剥離して該一方の収容室と他方の収容室とが開通する仕切り用シール部により仕切られてなるとともに、
上記一方の収容室内には、上記他方の収容室に外力を加えることにより上記仕切り用シール部が剥離し上記水素発生用水と水素発生材との反応により上記袋体の内部で発生した水素ガスが上記水素発生用水に溶解した水素水が含浸する含浸物が乾燥した状態で収容されてなることを特徴とする水素水含浸物収納体。
【請求項２】
前記水素発生剤と含侵物と水素発生用水と前記袋体の内部で発生した水素ガスの容積との和は、該袋体の内部の容積よりも大きく、該袋体内の圧力は外気圧を超えることを特徴とする請求項１記載の水素水含侵物収納体。
【請求項３】
前記水素発生用水は化粧水を主成分としてなり、前記含浸物は、フェイスパック用シート等のシート状の化粧用具であって圧縮されることによりブロック状に成形されてなることを特徴とする請求項１又は２記載の何れかの水素水含浸物収納体。
【請求項４】
前記袋体内における水素ガスが所定量発生した段階において、前記袋体は上記水素ガスの圧力により破裂するように構成されてなることを特徴する請求項１，２又は３記載の何れかの水素水含浸物収納体。
【請求項５】
前記請求項１，２，３又は４記載の何れかの水素水含浸物収納体と、この水素水含浸物収納体の使用時に該水素水含浸物収納体を収容する容器と、を備えた水素水含浸物収納体セットであって、
上記容器は、上記水素水含浸物収納体が収容される収容空間を有してなるとともに、上部に開口が形成されてなり透明な素材で成形された容器本体と、上記開口を開閉する蓋体、又は該開口を閉塞するとともに該開口が閉塞された状態から外力により該開口の全部又は一部を解放する弁を備えた蓋体と、を備えてなることを特徴とする水素水含浸物収納体セット。
【請求項６】
前記容器本体の容積は、前記水素水含浸物収納体内において前記袋体が破裂することを規制する容積とされてなることを特徴とする請求項５記載の水素水含浸物収納体。
【請求項７】
前記容器本体は、上部容器と下部容器とに上下二分割され、該上部容器と下部容器とは互いに分解可能に連結されてなるとともに、上記下部容器の上部には下部容器側開口が形成され、上記上部容器の上部には前記蓋体により閉塞される開口が形成されてなるとともに、上記下部容器側開口の内径は、上記開口の内径よりも大径とされてなることを特徴とする請求項５又は６記載の何れかの水素水含浸物収納体セット。
【発明の詳細な説明】
【技術分野】
【０００１】
本発明は、水素発生剤及び乾燥した含浸物と、上記水素発生剤に反応して水素ガスを発生させる水素発生用水とを内部において分離した状態で収容してなる水素水含浸物収納体及びこれに併用される容器とを備えた水素水含浸物収納体セットに関するものである。
【背景技術】
【０００２】
水素ガスは人体に吸引されることにより、体内において発生した活性酸素、特に老化を促進したり各種の疾患の原因となったりする活性酸素を消去する等の機能があり、近年こうした水素ガスの効能に注目が集まっている。そして、こうした効能を有する水素水は、飲料水として体内に取り込むばかりではなく、脱脂綿やフェイスマスク等にこの水素水を含浸させ、それを肌に付着させることにより、保湿効果や美白効果等にも優れていることが知られている。例えば、特許文献１には、含水性の乾燥基材シート及び水分と反応して水素発生可能な水素発生剤を備え、上記水素発生剤は、上記乾燥基材シートに水分を含浸させたとき、該水分と反応して水素発生可能に上記乾燥基材シートに直接又は間接に支持されているものが、水素発生用乾燥シートとして提案されている。
【先行技術文献】
【特許文献】
【０００３】
【特許文献１】特開２０１４−８４２３３号公報
【発明の概要】
【発明が解決しようとする課題】
【０００４】
しかしながら、上記特許文献１に開示されたものでは、上記水素発生剤に反応する水を別個に用意するか、或いは、上記乾燥基材シートと一緒にセットとなって顧客に提供される場合であっても、その水を該水素発生剤に添加する作業が必然的に伴うことから、極めて煩雑となるばかりか、水素発生剤と水との接触面積も制約され、水素ガスが十分溶解・溶存した水素水を上記乾燥基材シートに含浸させることができない。この結果、上述した水素ガスによる美容効果等を、使用者は十分享受することができない。
【０００５】
そこで、本発明は、上述した従来の発明が有する課題を解決するために提案されたものであって、極めて簡易に且つ水素ガスが高い濃度で溶解・溶存した水素水を含侵物に含侵させることができる水素水含浸物収納体及び水素水含浸物収納体セットを提供することを目的とするものである。
【課題を解決するための手段】
【０００６】
本発明は、上記課題を解決するために提案されたものであって、第１の発明（請求項１記載の発明）は、熱可塑性樹脂製フィルムにより袋状に成形された袋体と、この袋体の内部に形成され水素発生用水と反応することにより水素ガスを発生する水素発生剤が収容された一方の収容室と、上記袋体の内部に形成され上記水素発生剤と反応して該水素発生剤から水素ガスを発生させる水素発生用水が収容されてなる他方の収容室と、を備え、上記一方の収容室と他方の収容室とは、上記袋体の対向面が加圧溶着されてなるとともに、上記他方の収容室に加えられる外圧により剥離して該一方の収容室と他方の収容室とが開通する仕切り用シール部により仕切られてなるとともに、上記一方の収容室内には、上記他方の収容室に外力を加えることにより上記仕切り用シール部が剥離し上記水素発生用水と水素発生材との反応により上記袋体の内部で発生した水素ガスが上記水素発生用水に溶解した水素水が含浸する含浸物が乾燥した状態で収容されてなることを特徴とするものである。
【０００７】
この第１の発明に係る水素水含浸物収納体では、上記水素発生用水が収容された他方の収容室に対して、手指により外側から押圧する等して、外力を加えることにより、上記仕切り用シール部は剥離して、一方の収容室と他方の収容室とは連通する（開通する）。そして、上記仕切り用シール部の剥離により、上記他方の収容室内に収容された水素発生用水は、上記一方の収容室内に流入するとともに、該水素発生用水と水素発生剤とが反応して、該水素発生剤から水素ガスが放出される。この結果、上記袋体内においては、上記水素ガスが水素発生用水に溶解して水素水となり、上記一方の収容室内に収容されている乾燥した含浸物には、この水素水が含浸・吸収される。
【０００８】
したがって、使用者は、上記袋体を破ったり切断したりして、水素水が含浸した含浸物を袋体内から取り出すとともに、例えば、顔，腕，首等の皮膚にこの含浸物を接触させることにより、水素水を皮膚に付着させることが可能となる。
【０００９】
したがって、この第１の発明に係る水素水含浸物収納体によれば、水素発生用水を別個に用意する必要性は全く無く、単に、上記他方の収容室に外力を加えることのみにより、水素水が含浸された上記含浸物を簡易に得ることができる。また、上記水素発生剤からの水素ガスの発生、この水素ガスの水素発生用水への溶解による水素水の生成、この水素水の含浸物への含浸という一連の過程は、全て密閉された袋体内においてなされ、また、水素水も外気と接触することはないことから、水素ガスが十分溶解・溶存した水素水を含浸物に含浸させることができる。したがって、こうした含浸物を肌に接触させることにより、先に説明した美容効果等を十分高めることができる。
【００１０】
なお、この第１の発明を構成する上記熱可塑性樹脂製フィルムは、ポリエチレン、ポリプロピレン、ポリスチレン等の樹脂よりなるフィルムを採用することができるが、これらの熱可塑性樹脂製フィルム単体ではなく、アルミニウム箔等による遮光性やガスバリア層等が形成された積層フィルムを用いることが好ましい。また、上記水素発生剤としては、少なくとも、水素発生用水に反応して水素ガスを生成する水素発生物質を備えたものであれば良く、この水素発生物質としては、例えば、水素化リチウム、水素化カリウム、水素化カルシウム、水素化アルミニウムナトリウム、水素化アルミニウムリチウム、又は水素化マグネシウム等の水素化金属や、鉄、アルミニウム、マグネシウム、カルシウム等の金属、或いは、水素化ホウ素化合物等の金属水素錯化合物などを挙げることができ、これらの物質を複合して用いても良い。なお、この水素発生剤の形態又は形状は、粉状、粉末状、粒状、円柱状、四角柱状、板状、棒状、直方体状等を挙げることができる。また、上記水素発生用水は、少なくとも、上記水素発生剤と反応して水素ガスを発生するものであれば良く、水や水溶液等であるが、化粧水を主成分としたもの（請求項３記載の発明）や、これまで美容を目的に肌に塗布されている物質が添加されたものであっても良い。また、上記含浸物は、乾燥した布帛からなるものであって、織布や不織布又は脱脂綿等からなるものであっても良い。また、この布帛の形状は、方形状、円形状等適宜の形状とすればよく、例えば、目や鼻に対応した位置に開口が形成されたフェイスパック（フェイスマスク）であっても良い。
【００１１】
また、第２の発明（請求項２記載の発明）は、上記第１の発明において、前記水素発生剤と含侵物と水素発生用水と前記袋体の内部で発生した水素ガスの容積との和は、該袋体の内部の容積よりも大きく、該袋体内の圧力は外気圧を超えることを特徴とするものである。
【００１２】
この第２の発明では、袋体内の圧力は外気圧を超えることから、該袋体は膨張した状態となり、水素発生用水に溶解する水素ガスの溶存量は高まる。したがって、この第２の発明によれば、水素ガスが高い濃度で溶解・溶存した水素水を含浸物に含浸させることができる。
【００１３】
また、第３の発明（請求項３記載の発明）は、上記第１又は第２の発明の何れかにおいて、前記水素発生用水は化粧水を主成分としてなり、前記含浸物は、フェイスパック用シート等のシート状の化粧用具であって圧縮されることによりブロック状に成形されてなることを特徴とするものである。
【００１４】
この第３の発明に係る水素水含浸物収納体では、水素発生用水は化粧水を主成分としてなることから、使用者の肌に対して上記水素ガスによる美容効果等以外に、化粧水による美容効果も発揮することができる。さらに、この第２の発明では、含浸物は、フェイスパック用シート等のシート状の化粧用具であって圧縮されることによりブロック状に成形されてなることから、上記第１の収容室内に収容する作業も簡易なものとなる。
【００１５】
また、第４の発明（請求項４記載の発明）は、上記第１，第２又は第３の発明の何れかにおいて、前記袋体内における水素ガスが所定量発生した段階において、前記袋体は上記水素ガスの圧力により破裂するように構成されてなることを特徴するものである。
【００１６】
この第４の発明に係る水素水含浸物収納体では、前記袋体内における水素ガスが所定量発生した段階において、前記袋体は上記水素ガスの圧力により破裂するように構成されてなることから、該袋体の破裂により、使用者は、上記最大発生量に近い水素ガスが発生したことを確認することができ、この破裂を以て内部に収容され上記水素水が含浸された含浸物の使用を開始する目安とすることができる。
【００１７】
なお、こうした袋体の破裂は、一方の収容室の容積と他方の収容室の容積（袋体の素材が伸長する場合にあっては、それが伸長・膨張した際の容積）の和と、水素発生剤と前記水素発生用水との反応により発生した水素ガスの最大量の容積との関係等で決定されることから、水素発生剤の量、水素発生用水の量、袋体の素材の伸長量、袋体の周囲の何れかに形成されたシール部（溶着部）のシール強度（溶着した部位が剥離される圧力の限界）を適宜調整する。
【００１８】
また、第５の発明（請求項５記載の発明）は、水素水含浸物収納体セットに係るものであって、前記第１、第２、第３又は第４の発明の何れかに係る水素水含浸物収納体と、この水素水含浸物収納体の使用時に該水素水含浸物収納体を収容する容器と、を備えた水素水含浸物収納体セットであって、上記容器は、上記水素水含浸物収納体が収容される収容空間を有してなるとともに、上部に開口が形成されてなり透明な素材で成形された容器本体と、上記開口を開閉する蓋体、又は該開口を閉塞するとともに該開口が閉塞された状態から外力により該開口の全部又は一部を解放する弁を備えた蓋体と、を備えてなることを特徴とするものである。
【００１９】
この第５の発明に係る水素水含浸物収納体セットの使用方法は、先に説明したように、上記水素水含浸物収納体を構成する他方の収容室に対して、手指により外側から押圧する等して、該他方の収容室に外力を加え、上記仕切り用シール部を剥離させて、上記一方の収容室と他方の収容室とを連通させた後に、この水素水含浸物収納体を上記開口から容器本体内に挿入して収容するとともに、この容器本体に形成された開口を上記蓋体又は弁体により閉塞する。容器本体内に収容された水素水含浸物収納体内では、徐々に水素ガスが水素発生剤から生成される結果、該水素水含浸物収納体は膨張する。上記容器本体内におけるこうした水素水含浸物収納体の膨張により、該容器本体内の空気が圧縮され該容器本体内の圧力は上昇する。このとき、上記容器本体の体積が、上記請求項１又は２に係る水素水含浸物収納体であって、該水素水含浸物収納体が最大に膨張することが可能である位に大容量である場合には、所定時間経過した後に、上記蓋体を容器本体から取り外し、内部に収容された水素水含浸物収納体を取り出す。一方、上記容器本体の体積が、上記第１又は第２の発明に係る水素水含浸物収納体であって、該水素水含浸物収納体が最大に膨張することが規制される位に小容量である場合（請求項６記載の発明参照）には、上記蓋体を取り外し又は上記弁に外力を作用させ開口の全部又は一部を解放すると、上記水素水含浸物収納体が最大に膨張する。なお、容器本体は透明な素材で成形されていることから、容器本体内における水素水含浸物収納体の状態を、使用者は外部から視認することができる。また、上記第４の発明に係る水素水含浸物収納体を上記容器本体内に収容した場合であって、該水素水含浸物収納体が最大に膨張することが可能である位に大容量である場合には、この水素水含浸物収容体を構成する袋体は、容器本体内において、最大限膨張した直後に破裂する。このように、水素水含浸物収納体を構成する袋体が破裂したことが外部から確認された場合には、上記蓋体を容器本体から取り外し、上記水素水含浸物収納体を取り出す。また、上記容器本体の体積が、上記水素水含浸物収納体が最大に膨張することが規制される位に小容量である場合には、上記蓋体を取り外し又は上記弁に外力を作用させ開口の全部又は一部を解放すると、上記水素水含浸物収納体が最大に膨張した後に破裂する。
【００２０】
したがって、この第５の発明に係る水素水含浸物収納体セットによれば、水素発生剤や水素水発生用水の量、また、袋体を密閉する溶着部の溶着強度などにより、発生する水素ガスの圧力の上昇に伴って誤って袋体が破裂した場合や、第４の発明に係る水素水含浸物収納体のように、袋体が予定されて通り破裂した場合であっても、該袋体内に収容された水素ガスが溶解した水素発生用水（水素水）が外部に漏出してしまう危険性を有効に防止することができる。
【００２１】
また、上記容器を使用することにより、大気中に水素ガスが放出されることがないので、袋体が破裂した場合であっても、高い美容効果等を得るため（放置することにより、水素ガスの溶解量・溶存量が低下することによる美容効果の低下を恐れて）即座に上記含浸物を使用する必要性に迫られることがなく、使用者の都合に合わせて使用することが可能となる。
【００２２】
なお、上記蓋体は、少なくとも上記容器本体に形成された開口に着脱自在に取り付けられ、上記開口を閉塞することができるものであれば良く、ネジ式のものであっても嵌合式のもであっても良いし、また、蝶番を介して回動自在に配置され、ロック部材を介して上記開口の閉塞状態がロックされるタイプの蓋体であっても良い。但し、ネジ式のものである場合には、蓋体を開方向に螺退させる途中において、大気と連通することからより安全に使用することができる。また、上記弁を備えた蓋体は、上記開口に着脱自在に取り付けられ、上記開口の全部又は一部を弁により閉塞することができ、外力により上記閉塞状態にある弁を（例えば、下方に押圧することにより）移動させ、上記開口を解放することができるものであれば良い。
【００２３】
なお、上記第５の発明に係る水素水含浸物収納体セットは、先に説明した使用方法以外に、次に説明する方法で使用することもできる。すなわち、前記請求項４記載の水素水含浸物収納体とともに、化粧水を上記容器本体内に充填し、上述した要領で上記水素水含浸物収納体が破裂した後に、蓋体により開口を閉塞した状態としたうえで、この容器を振るなどして、容器本体内の水素ガスを上記化粧水に溶解させる。次いで、容器本体内から、水素水含浸物収納体のみを取り出す一方、上記容器本体内には、他のフェイスパックその他の乾燥した含浸物を収容し、蓋体により再び開口を閉塞し、再び振る等して、水素ガスが溶解した水素水を上記含浸物に含浸させ、後にこれを使用する。こうした使用方法によれば、水素ガス又は水素水を無駄なく使用することができる。
【００２４】
また、第６の発明（請求項６記載の発明）に係る水素水含浸物収納体セットは、前記容器本体の容積は、前記水素水含浸物収納体内において前記袋体が破裂することを規制する容積とされてなることを特徴とするものである。
【００２５】
この第６の発明に係る水素水含浸物収納体セットでは、上述したように、上記蓋体を取り外し又は上記弁に外力を作用させ開口の全部又は一部を解放すると、上記水素水含浸物収納体が最大に膨張し、第４の発明に係る水素水含浸物収納体を収容した場合には、該水素水含浸物収納体は容器本体内において破裂する。
【００２６】
したがって、この第６の発明に係る水素水含浸物収納体セットによれば、水素水含浸物収納体を構成する袋体の破裂は、使用者自らによる蓋体又は該蓋体を構成する弁の操作がトリガーとなることから、安心して使用することができる。
【００２７】
また、第７の発明（請求項７記載の発明）は、上記第４、第５又は第６の発明の何れかにおいて、前記容器本体は、上部容器と下部容器とに上下二分割され、該上部容器と下部容器とは互いに分解可能に連結されてなるとともに、上記下部容器の上部には下部容器側開口が形成され、上記上部容器の上部には前記蓋体により閉塞される開口が形成されてなるとともに、上記下部容器側開口の内径は、上記開口の内径よりも大径とされてなることを特徴とするものである。
【００２８】
この第７の発明に係る水素水含浸物収納体セットでは、容器本体は、上部容器と下部容器とに上下二分割され、該上部容器と下部容器とは互いに分解可能に連結されてなるとともに、上記下部容器の上部には下部容器側開口が形成され、上記上部容器の上部には前記蓋体により閉塞される開口が形成されてなるとともに、上記下部容器側開口の内径は、上記開口の内径よりも大径とされてなることから、容器本体内への上記水素水含浸物収納体の出し入れ操作は、上記下部容器側開口から行うことができ、他方、上記上部容器の上部に形成された開口を閉塞する蓋体は、専ら圧力が上昇した容器本体内の圧力を外部に逃がすためだけに使用することができる。また、上下二分割された上部容器と下部容器とを分解することにより、容器本体内を洗浄したり、乾燥させたりする場合にも、極めて容易となる。
【００２９】
なお、上記上部容器と下部容器との連結状態は、内部で発生した水素ガスやこの水素ガスが溶解した化粧水等の水素水が外部に漏出することがないよう密閉状態を保持することができる構造である必要がある。こうした連結状態を維持するための構造としては、例えば、上部容器を構成する側板部の上端側と下部容器を構成する側板部の下端側とに、それぞれネジを形成し、それぞれのネジを互いに螺着することにより該上部容器と下部容器とが連結する構造であっても良いし、上記密閉状態を保持するロック手段が、少なくとも下部容器又は上部容器お何れか一方に形成されているものや、これら下部容器又は上部容器とは別体とされたロック用の器具を用いても良い。
【発明の効果】
【００３０】
上記第１の発明（請求項１記載の発明）に係る水素水含浸物収納体によれば、水素発生用水を別個に用意する必要性は全く無く、単に、上記他方の収容室に外力を加えることのみにより、水素水が含浸された上記含浸物を簡易に得ることができる。また、上記水素発生剤からの水素ガスの発生、この水素ガスの水素発生用水への溶解による水素水の生成、この水素水の含浸物への含浸という一連の過程は、全て密閉された袋体内においてなされ、この袋体を開封しなければ水素ガスが大気に放出されることはなく、また、水素水も外気と接触することはないことから、水素ガスが十分溶解・溶存した水素水を含浸物に含浸させることができる。したがって、こうした含浸物を肌に接触させることにより、先に説明した美容効果等を十分高めることができる。
【００３１】
また、第２の発明（請求項２記載の発明）に係る水素水含浸物収納体によれば、水素ガスが高い濃度で溶解・溶存した水素水を含浸物に含浸させることができる。
【００３２】
また、第３の発明（請求項３記載の発明）に係る水素水含浸物収納体では、水素発生用水は化粧水を主成分としてなることから、使用者の肌に対して上記水素ガスによる美容効果等以外に、化粧水による美容効果も発揮することができる。さらに、この第３の発明では、含浸物は、フェイスパック用シート等のシート状の化粧用具であって圧縮されることによりブロック状に成形されてなることから、上記第１の収容Ｆ室内に収容する作業も簡易なものとなる。
【００３３】
また、第４の発明（請求項４記載の発明）に係る水素水含浸物収納体では、前記袋体内における水素ガスが最大発生量に至った段階において、前記袋体は上記水素ガスの圧力により破裂するように構成されてなることから、該袋体の破裂により、使用者は、最大に近い量の水素ガスが発生したことを確認することができ、この破裂を以て内部に収容され上記水素水が含浸された含浸物の使用を開始する目安とすることができる。
【００３４】
また、第５の発明（請求項５記載の発明）に係る水素水含浸物収納体セットによれば、上記他方の収容室に外力を加えて上記仕切り用シール部を剥離させた水素水含浸物収納体を容器本体内に収容して、上記蓋体により開口を閉塞させることにより、袋体の最大容積よりも多量の水素ガスが発生して万一該袋体が破裂した場合や、第３の発明に係る水素水含浸物収納体のように、袋体が上述したように破裂するように構成された場合、該袋体の破裂により水素水又は化粧水が外部に放出されてしまうことを有効に防止することができるとともに、安全に取り扱うことが可能となる。また、上記容器を使用することにより、大気中に水素ガスが放出されることがないので、袋体が破裂した場合であっても、高い美容効果等を得るため（放置することにより、水素ガスの溶解量・溶存量が低下することによる美容効果の低下を恐れて）即座に上記含浸物を使用する必要性に迫られることがなく、使用者の都合に合わせて使用することが可能となる。
【００３５】
また、第６の発明（請求項６記載の発明）に係る水素水含浸物収納体セットによれば、水素水含浸物収納体を構成する袋体の破裂は、使用者自らによる蓋体又は該蓋体を構成する弁の操作がトリガーとなることから、安心して使用することができる。
【００３６】
また、第７の発明（請求項７記載の発明）に係る水素水含浸物収納体セットによれば、容器本体は、上部容器と下部容器とに上下二分割され、該上部容器と下部容器とは互いに分解可能に連結されてなるとともに、上記下部容器の上部には下部容器側開口が形成され、上記上部容器の上部には前記蓋体により閉塞される開口が形成されてなるとともに、上記下部容器側開口の内径は、上記開口の内径よりも大径とされてなることから、容器本体内への上記水素水含浸物収納体の出し入れ操作は、上記下部容器側開口から行うことができ、他方、上記上部容器の上部に形成された開口を閉塞する蓋体は、専ら圧力が上昇した容器本体内の圧力を外部に逃がすためだけに使用することができる。また、上下二分割された上部容器と下部容器とを分解することにより、容器本体内を洗浄したり、乾燥させたりする場合にも、極めて容易となる。
【図面の簡単な説明】
【００３７】
【図１】水素水含浸物収納体の外観斜視図である。
【図２】図１に示す水素水含浸物収納体を模式的に示す断面図である。
【図３】袋体が膨張した状態を模式的に示す断面図である。
【図４】水素水含浸物収納体が収容される容器の外観を示す分解斜視図である
【図５】図４に示す容器内に水素水含浸物収納体を収容した状態を模式的に示す断面図である。
【図６】図５に示す状態から水素水含浸物収納体が膨張した状態を模式的に示す断面図である。
【図７】図６に示す状態から、水素水含浸物収納体が破裂した後の状態を模式的に示す断面図である。
【図８】第２の実施の形態に係る容器内に膨張した水素水含浸物収納体が収容された状態を模式的に示す断面図である。
【発明を実施するための形態】
【００３８】
以下、本発明を実施するための最良の形態に係る水素水含浸物収納体セットについて図面を参照しながら詳細に説明する。この水素水含浸物収納体セットは、水素水含浸物収納体１と、この水素水含浸物収納体１が収容される容器１０とを備えているものであり、先ず、水素水含浸物収納体１について詳細に説明する。
【００３９】
この水素水含浸物収納体１は、図１に示すように、長方形状に成形された内部が密閉された袋体２を構成要素としている。この袋体２は、二枚の熱可塑性樹脂製フィルム（符号は省略する。）の周囲４カ所において熱溶着（シール）されてなるものであり、この溶着された外周の溶着部２ａの内部には、密閉状態とされた収容空間が形成されている。なお、上記熱溶着樹脂製フィルムは、それぞれ最も内側が熱可塑性樹脂材料からなる基層フィルムであり、この基層フィルムの外側にはアルミニウム箔等からなる遮光性フィルムやガスバリア性フィルム等が積層された多層フィルムにより構成されている。
【００４０】
そして、上記袋体２内に形成された収容空間は、図１又は図２に示すように、本発明を構成する仕切り用シール部２ｂにより、一方の収容室２ｃと、他方の収容室２ｄとに仕切られている。上記仕切り用シール部２ｂは、上記二枚の熱可塑性樹脂フィルムの対向面が加圧され熱溶着されてなるものであり、後述する水素ガス発生用水（化粧水）が収容された他方の収容室２ｄを手指等により押圧する（外力を加える）ことにより容易に剥離する部位である。そして、上記一方の収容室２ｃ内には、水素発生剤３と、本発明を構成する含浸物としてのフェイスマスク４が乾燥した状態で且つ圧縮されてブロック状に成形された状態で収容されている。また、上記他方の収容室２ｄ内には、本発明を構成する水素ガス発生用水としての化粧水５が収容されている。
【００４１】
したがって、上記他方の収容室２ｄを手指等により外力を加えると、該他方の収容室２ｄ内に収容された化粧水５の圧力により、上記二枚の熱可塑性樹脂製フィルムの対向面が押し広げられる結果、上記仕切り用シール部２ｂが剥離し、上記一方の収容室２ｃと他方の収容室２ｄとは開通・連通する。そして、こうした仕切り用シール部２ｂの剥離により、上記他方の収容室２ｄ内に収容されていた化粧水５は、上記一方の収容室２ｃ内に流入するとともに他方の収容室２ｄ内に収容されていた化粧水５に反応して該水素発生剤３からは水素ガスが発生し、上記袋体２内は、図３に示すように、この水素ガスにより徐々に膨張して行く。そして、この水素ガスは、上記化粧水５に溶解するとともに、該化粧水５は上記乾燥したフェイスマスク４に含浸して行く。換言すれば、このフェイスマスク４は水素ガスが溶解した化粧水５に浸漬される。
【００４２】
したがって、上記仕切り用シール部２ｂを剥離してから所定時間経過した後に、上記袋体２を手指で破ったり切断したりして、該袋体２内のフェイスマスク４を取り出して広げ、使用者の顔に載せて使用することも可能であるが、この実施の形態においては、大気中において、上記仕切り用シール部２ｂを剥離してから所定時間経過すると、上記袋体２内で発生した水素ガスの圧力により、上記袋体２の周囲に形成された溶着部２ａの何れかが剥離して、該袋体２が破裂するように構成されている。このように、袋体２が破裂するタイミングは、上記水素発生剤３から発生する水素ガスの最大量又はそれに近い量の水素ガスが発生した際に設定されている。
【００４３】
次に、この実施の形態に係る水素水含浸物収納体セットを構成する上記容器１０について、詳細に説明する。この実施の形態に係る容器１０は、図４に示すように、容器本体１１と、蓋体１２とから構成されており、上記容器本体１１は、上部容器１３と、下部容器１４とに上下二分割されている。（これら上部容器１３と下部容器１４とからなる）上記容器本体１１は、透明なガラス又は樹脂を素材とするものであり、上記上部容器１３も下部容器１４もそれぞれ一体成型されている。なお、この実施の形態では、上記容器本体１１の全体形状は、略卵形に成形されてなるものであり、内部に形成された収容空間は、上述した水素水含浸物収納体１が収容される空間とされている。また、上記上部容器１３は上端側から下端側にかけて徐々に大径化された側板部１３ａと、この側板部１３ａの上部に形成され上記蓋体１２が螺着される円筒状の筒状部１３ｂとを備え、この筒状部１３ａの内側には、上記収容空間に連通した開口１３ｃが形成され、該筒状部１３ｂの外周には一方のネジ（符号は省略する。）が螺刻されている。また、上記側板部１３ａの下部には、該側板部１３ａの外径よりもやや小径の外径とされた上側円筒部１３ｄが形成され、この上側円筒部１３ｄの外周には、上側ネジ（符号は省略する。）が螺刻されている。
【００４４】
また、上記下部容器１４は、円盤状に成形された底板部１４ａと、この底板部１４ａの外周から起立してなり上端側にかけて徐々に大径化されてなる側板部１４ｂとを備え、この側板部１４ｂの上部の内周には、上記上側ネジが螺合する下側ネジ（符号は省略する。）が螺刻されている。したがって、上記上部容器１３と下部容器１４とは、上記上側ネジと下側ネジとが互いに螺合することにより、連結されて容器本体１１を形成するとともに、後述するように、この容器本体１１内における気圧が上昇した場合であっても、上記上部容器１３と下部容器１４との間から水素ガスや空気が漏出することなく、また、内部で上昇した気圧に耐える密封性を備えているように構成されている。
【００４５】
また、上記蓋体１２は、円盤状に成形された天板１２ａと、この天板１２ａの外周から垂下してなる円筒状の側板部１２ｂとから構成され、この側板部１２ｂの内周には、上記上部容器１３を構成する筒状部１３ｂの外周に螺刻された一方のネジに螺着される他方のネジ（符号は省略する。）が螺刻されている。
【００４６】
以下、上述した水素水含浸物収納体１と容器１０との使用方法を順番に説明する。先ず、上記容器本体１１を構成する筒状部１３ｂに上記蓋体１２を螺着させた状態とし、上記上部容器１３から下部容器１４を取り外しておく。そして、上記水素水含浸物収納体１を構成する他方の収容室２ｄに外力を加えて上記仕切り用シール部２ｂを剥離し、上記一方の収容室２ｃと他方の収容室２ｄとを開通・連通させる。こうした操作が終了すると、次いで、この水素水含浸物収納体１を、図５に示すように、上記下部容器１４内に収容し、該下部容器１４を上記上部容器１３に螺着させる。すると、上記容器本体１１内に収容された水素水含浸物収納体１は、上述した通り、水素発生剤３から水素ガスが放出される結果、上記袋体２は膨張を開始する。こうした袋体２の膨張が進むと、上記容器本体１１内の空気も徐々に圧縮され、該容器本体１１内の気圧は上昇する。そして、さらに上記袋体２の膨張が進行し、容器本体１１内の空気も最大限に圧縮されるとともに該袋体２内の圧力も最大限に高まると、図６に示すように、それまでの水素発生剤３からの水素ガスの発生は停止する。すなわち、上述した仕切り用シール部２ｂを剥離した時点、又はこの水素水含浸物収納体１を上記容器本体１１内に収容した時点から所定時間経過すると、容器本体１１内の圧力と容器１０の耐圧力とが均衡状態となり、該容器本体１１内における袋体２の膨張は停止する。
【００４７】
そして、こうした袋体２の膨張が停止した時点において、使用者が上記蓋体１２を容器本体１１の筒状部１３ｂからやや螺退させ、該筒状部１３ｂと蓋体１２との僅かな隙間から容器本体１１内に外気が流入すると、上記均衡状態が崩れるとともに、図７に示すように、上記水素水含浸物収納体１は破裂し、又はさらに膨張した後に破裂する。このとき、上記破裂した水素水含浸物収納体１内から化粧水５が放出された場合には、この化粧水５は、下部容器１４内に収容される。
【００４８】
このように水素水含浸物収納体１が破裂した場合には、次いで、上記上部容器１３から下部容器１４を取り外し、破裂した水素水含浸物収納体１を取り出し、該水素水含浸物収納体１内に収容され水素ガスが溶解した化粧水が含浸した含浸物である上記フェイスマスク４を取り出し、広げて顔に載置する等して使用する。
【００４９】
この実施の形態に係る水素水含浸物収納体セットでは、上述した方法で使用するものであるが、他の方法として、例えば、上記仕切り用シール部２ｂを剥離した水素水含浸物収納体１以外に、適当量の化粧水と別個の乾燥したフェイスマスクとも併せて上記容器本体１１内に収容し、容器本体１１内で水素水含浸物収納体１が破裂した後に、再び上記蓋体１２を螺進させた上で、容器１０全体を振る等し、容器本体１１内に噴出した水素ガスと上記化粧水とを撹拌して該水素ガスを化粧水に溶解させるとともに、該化粧水を上記別個のフェイスマスクに含浸させ、上記水素水含浸物収納体１内に収容されたフェイスマスク４と、上記別個のフェイスマスクとの両方を使用できるようにしても良い。上記水素ガスが溶解した化粧水が含浸された上記別個のフェイスマスクは、容器１０を密閉状態として保存する限り、化粧水内に溶解した水素ガスの溶存量が低下することもないことから、比較的長時間が経過した後に使用することができる。
【００５０】
また、上記実施の形態では、上記仕切り用シール部２ｂを剥離した水素水含浸物収納体１が所定時間経過すると、袋体２内部で発生した水素ガスの圧力により、該袋体２が破裂するように構成されたものを説明したが、本発明に係る水素水含浸物収納体１は、必ずしも破裂するように設計する必要はない。
【００５１】
また、上記実施の形態で説明した容器１０は、上記蓋体１２をやや螺退させることにより水素水含浸物収納体１（袋体２）が破裂するよう構成されたものを中心に説明したが、上記蓋体１２の操作とは無関係に、容器本体１１内において破裂するように構成されたものは勿論、安全性を考慮して、通常では破裂しないように設計された上記水素水含浸物収納体１を内部に収容して使用するものであっても良い。
【００５２】
さらに、本発明を構成する容器として、上述した実施の形態で説明した容器１０は、容器本体１１が上部容器１３と下部容器１４とに上下二分割されているものであるが、本発明を構成する容器は、必ずしもこのように二分割されている必要性はなく、図８に示す容器２０のように、一体成型されたガラス製の容器本体２１と、この容器本体２１の上部に形成された筒状部２１ａと、この筒状部２１ａに螺着される蓋体２２と、この蓋体２２に組み込まれた弁体２３とから構成されてなるものであっても良い。
【００５３】
上記容器本体２１に形成された筒状部２１ａは、先に説明した筒状部１３ａよりも大径に成形されたものであり、内側には、上記水素水含浸物収納体１を出し入れすることができる開口２１ｂが形成され、該筒状部２１ａの外周には、一方のネジ（符号は省略する。）が螺刻されている。また、上記蓋体２２は、円盤状に成形された天板部２２ａと、この天板部２２ａの外周から垂下してなる円筒状の側板部２２ｂと、上記天板部２２ａの中央に形成された空気抜き穴２２ｃとを備えている。そして、上記弁体２３は、円盤状に成形され上記蓋体２２の上方に位置する操作部２３ａと、この操作部２３ａの下面中央から垂下し中途部は上記空気抜き穴２２ｃに挿通されてなる軸部２３ｂと、この軸部２３ｂの下端に中央が固定されてなり、上記空気抜き穴２２ｃを容器本体２１内において閉塞する弁本体２３ｃとから構成されている。
【００５４】
上述した弁体２３が組み込まれた蓋体２２と容器本体２１とからなる容器２０によれば、先の実施の形態において説明したように、容器本体２１内の気圧が高まった場合、図８中二点鎖線で示すように、上記操作部２３ａを下方に押圧することにより、上記弁本体２３ｃによる空気抜き穴２２ｃの閉塞状態を簡単に解除することができる。
【符号の説明】
【００５５】
１    水素水含浸物収納体
２ｂ  仕切り用シール部
２ｃ  一方の収容室
２ｄ  他方の収容室
３  水素発生剤
４  フェイスマスク
５  化粧水
１０  容器
１１  容器本体
１２  蓋体
１３  上部容器
１４  下部容器
２０  容器
２１  容器本体
２２  蓋体
２３  弁体
２３ｃ  弁本体
【図１】
2016043110.tif 000003
【図２】
2016043110.tif 000004
【図３】
2016043110.tif 000005
【図４】
2016043110.tif 000006
【図５】
2016043110.tif 000007
【図６】
2016043110.tif 000008
【図７】
2016043110.tif 000009
【図８】
2016043110.tif 000010